(57)【要約】【課題】清掃部と掻取部を併せ備える清掃具において、清掃部による払拭作業のスムースと、掻取部による水滴除去作業のスムースを図ること。【解決手段】清掃具本体１０に清掃部２０と掻取部３０を並置してなる清掃具１であって、清掃部２０の清掃面２３Ａを平坦な被清掃面に接するように置いたとき、掻取部３０が該被清掃面から離れ、かつ掻取部３０を該被清掃面に接するように置いたとき、清掃部２０の清掃面２３Ａが該被清掃面に対し交叉するように配置されるもの。【選択図】  図４
2004166837.tif 000002
【特許請求の範囲】
【請求項１】
清掃具本体に清掃部と掻取部を並置してなる清掃具であって、清掃部の清掃面を平坦な被清掃面に接するように置いたとき、掻取部が該被清掃面から離れ、かつ掻取部を該被清掃面に接するように置いたとき、清掃部の清掃面が該被清掃面に対し交叉するように配置された清掃具。
【請求項２】
前記掻取部を被清掃面に接するように置いたとき、該掻取部が該被清掃面に対し３０度以上、６０度以下の角度で斜交する請求項１に記載の清掃具。
【請求項３】
前記清掃部が洗浄液を含浸させた不織布を巻付ける弾性体と、弾性体に巻付けた不織布を着脱自在な状態にて固定化する固定手段とを備える請求項１又は２に記載の清掃具。
【請求項４】
前記不織部への洗浄液の含浸量を、清掃面の単位面積当り０．００１  ｇ／ｃｍ２以上、０．００８  ｇ／ｃｍ２以下とする請求項３に記載の清掃具。
【発明の詳細な説明】
【０００１】
【発明の属する技術分野】
本発明は窓ガラス、壁等に用いて好適な清掃具に関する。
【０００２】
【従来の技術】
窓ガラスの清掃具として、特許文献１に記載の如く、清掃部（スポンジ体）と掻取部（へら部材）とを備え、清掃部によりガラス面上の汚れを払拭し、その後直ちに、掻取部によりガラス面上の水滴（洗浄液を含む）を除去するものがある。
【０００３】
【特許文献１】
特開２００１−１２０４６８（２頁、図３）
【０００４】
【発明が解決しようとする課題】
特許文献１の清掃具では、清掃部の清掃面を平坦な被清掃面にほぼ接するように置いたとき、掻取部も被清掃面に接する。このため、清掃部を引き、戻し移動する往復行程で該清掃部の清掃面によりガラス面上の汚れを払拭しようとするとき、清掃部の背後（引き方向を前方とする）にある掻取部がその戻し移動行程で被清掃面に引っ掛かる如くになってビビリ振動し、払拭作業のスムースを損なう。また、掻取部を引き移動してガラス面上の水滴を除去しようとするとき、清掃部の清掃面の全面が被清掃面に摺接して大きな摩擦抵抗となり、水滴除去作業のスムースも損なう。
【０００５】
本発明の課題は、清掃部と掻取部を併せ備える清掃具において、清掃部による払拭作業のスムースと、掻取部による水滴除去作業のスムースを図ることにある。
【０００６】
【課題を解決するための手段】
請求項１の発明は、清掃具本体に清掃部と掻取部を並置してなる清掃具であって、清掃部の清掃面を平坦な被清掃面に接するように置いたとき、掻取部が該被清掃面から離れ、かつ掻取部を該被清掃面に接するように置いたとき、清掃部の清掃面が該被清掃面に対し交叉するように配置された清掃具である。
【０００７】
【発明の実施の形態】
清掃具１は、図１〜図３に示す如く、清掃具本体１０に、清掃部２０と掻取部３０を並置して備える。
【０００８】
清掃部２０は、プラスチック製の清掃具本体１０のコの字断面内に抱持される如くに固定化されるゴム体、スポンジ体等のクッション製を有する直方体状弾性体２１と、弾性体２１の両側部に設けられる固定部２２とを有する。固定部２２は、弾性体２１に接合されたプラスチック製ベース２２Ａにゴム製チャック２２Ｂを備えて構成される。洗浄液を含浸させた不織布２３が弾性体２１に巻付けられ、弾性体２１に巻付けた不織布２３の両端部が固定部２２のチャック２２Ｂの鋸歯状スリットに加えられる着脱自在な状態にて固定化される。
【０００９】
掻取部３０は、清掃具本体１０の上面に接合されるプラスチック製支持プレート３１にゴム板、プラスチック板等からなる掻取片３２を備えて構成される。掻取片３２は先端に掻取エッジ３２Ａを備える。掻取部３０は、清掃具１の引き移動方向を前方とするとき、清掃部２０の後方（背後）に配置される。
【００１０】
清掃具１は、清掃部２０の弾性体２１に巻付けた不織布２３の清掃面２３Ａ（弾性体２１の下面にバックアップされる面）を平坦な被清掃面に接するように置いたとき、掻取部３０の掻取片３２が被清掃面から離れ（図１）、かつ掻取部３０の掻取片３２を被清掃面に接するように置いたとき、清掃部２０の清掃面２３Ａが被清掃面に対し交叉する（図４）ように配置される。
【００１１】
清掃具１は、清掃具本体１０を手で持ち、清掃部２０の清掃面２３Ａを被清掃面に接するように置き、この清掃面２３Ａを被清掃面に押付けて引き、戻し移動する往復行程で、清掃面２３Ａを被清掃面に摺接させて該被清掃面の汚れを払拭する。
【００１２】
また、清掃具本体１０を手で持ち、図５に示す如く、掻取部３０の掻取片３２（掻取エッジ３２Ａ）を被清掃面に接するように置き、この掻取エッジ３２Ａを被清掃面に押付けて引き移動しつつ該被清掃面に摺接させ、被清掃面上の水滴を除去する。図５において、掻取部３０の掻取片３２、清掃部２０の弾性体２１は押付け力により弾性変形する。尚、掻取エッジ３２Ａで被清掃面上の水滴を除去するとき、図６に示す如く、清掃部２０の弾性体２１を全体的に被清掃面から離隔しても良い。
【００１３】
ここで、清掃具１において、（ａ）掻取部３０の掻取片３２を被清掃面に接するように置いたとき、掻取片３２が被清掃面に対し３０度以上、６０度以下の角度、より好適には３０度以上、４５度以下の角度で斜交することが好ましく、（ｂ）清掃部２０の不織布２３への洗浄液の含浸量を、清掃面２３Ａの単位面積当り０．００１  ｇ／ｃｍ２以上、０．００８  ｇ／ｃｍ２以下とすることが好ましい。上述（ａ）、（ｂ）は、清掃具１により窓ガラスを清掃した以下の実験により裏付けられた。
【００１４】
（実験）
不織布２３に含浸させる洗浄液として、界面活性剤入りの家庭用ガラス向け洗剤（花王液体ガラスマイペット（花王商標））を用いた。この洗浄液の液性は弱アルカリ、成分は界面活性剤（０．４％スルホン酸系（陰イオン））と泡調整剤とからなるものである。
【００１５】
不織布２３として極細繊維を使用した高密度不織布を用いた。極細繊維は繊維直径が１０μｍ以下の繊維を５０％以上含むことを意味し、高密度とは比容積で１０ｃｍ３／ｇ以下を意味する。
【００１６】
（ａ）掻取部３０の掻取片３２の斜交角度ａ
角度ａが３０度より小さい場合、掻取片３２の被清掃面に対する接触面積が大きくなり、摩擦抵抗が大きく、大きな操作力が必要であった。角度ａが６０度より大きい場合、掻取片３２のビビリ振動が発生し易くなった。よって、角度ａは３０度以上、６０度以下、より好適には３０以上、４５度以下であることを認めた。
【００１７】
（ｂ）清掃部２０の不織布２３への洗浄液の含浸量と、拭性（汚れの落ち具合）、液ダレ性の関係を調査し、表１を得た。表１において、拭き性の評価は、清掃面２３Ａの面積が６ｃｍ×８ｃｍの清掃部２０において、手垢等の日常生活レベルの汚れが３０ｃｍ×３０ｃｍ以上（清掃面２３Ａの面積の約２０倍）落とせるものを○、手垢等の日常生活レベルの汚れが１５ｃｍ×１５ｃｍ以上（清掃面２３Ａの面積の約５倍）落とせるものを△、手垢等の日常生活レベルの汚れが１５ｃｍ×１５ｃｍ以上落とせないものを×とした。液ダレ性の評価は、清掃面２３Ａの面積が６ｃｍ×８ｃｍの清掃部２０で清掃後、掻取部３０で汚液を掻き寄せたとき、不織布２３から液が垂れないものを○、液が若干垂れるものを△、液が垂れるものを×とした。表１によれば、不織布２３への洗浄液の好適含浸量は、清掃面２３Ａの単位面積当り０．００１  ｇ／ｃｍ２以上、０．００８  ｇ／ｃｍ２以下である。
【００１８】
【表１】
2004166837.tif 000003
【００１９】
本実施形態によれば以下の作用効果がある。
（請求項１に対応する作用効果）
▲１▼清掃部２０を引き、戻し、移動する往復行程で、該清掃部２０の清掃面２３Ａを被清掃面に摺接させて該被清掃面上の汚れを払拭しようとするとき、掻取部３０は被清掃面から離れているから、該掻取部３０がその戻し移動行程で被清掃面に引っ掛かってビビリ振動する如くがなく、払拭作業のスムースを図ることができる。
【００２０】
▲２▼掻取部３０の掻取片３２を引き移動して被清掃面に摺接させることにより被清掃面上の水滴を除去しようとするとき、清掃部２０の清掃面２３Ａは被清掃面に対し交叉し、該清掃面２３Ａ（弾性体２１）のエッジだけを被清掃面に摺接させて摩擦抵抗を小とするから、水滴除去作業のスムースを図ることができる。
【００２１】
▲３▼上述▲１▼、▲２▼により、清掃部２０の清掃面２３Ａで払拭し、その後直ちに、掻取部３０の掻取片３２で水滴除去する清掃作業を素人でも上手にでき、汚れている部分だけを簡易に清掃できる。
【００２２】
（請求項２に対応する作用効果）
▲４▼上述▲２▼で掻取部３０の掻取片３２が被清掃面に摺接するときの、該掻取部３０の掻取片３２が該被清掃面に対してなす斜交角度ａが、３０度より小さい場合には掻取部３０の被清掃面に対する接触面積が大きくなって摩擦抵抗力が大きくなり、６０度より大きい場合には掻取部３０のビビリ振動が生じ易くなり、上述▲２▼の掻取部３０による水滴除去作業のスムースを損なうおそれがある。掻取部３０の掻取片３２の斜交角度ａを３０度以上、６０度以下とすること、より好適には３０度以上、４５度以下とすることにより、その水滴除去作業のスムースの確実を図ることができる。
【００２３】
（請求項３に対応する作用効果）
▲５▼清掃部２０の清掃面２３Ａが洗浄液を含浸させた不織布２３により構成されることにより、大量の水を用いなくても、被清掃面の汚れを容易に払拭できる。
【００２４】
▲６▼清掃部２０が不織布２３を着脱自在にすることにより、汚れた不織布２３を使い捨てして新しい不織布２３と簡易に交換できる。
【００２５】
▲７▼不織布２３として、極細高密度不織布を用いることにより、洗浄液を多量に保持し、該洗浄液を清掃面２３Ａの全面に均等に行き渡らせて、被清掃面をむらなく払拭できる。
【００２６】
（請求項４に対応する作用効果）
▲８▼不織布２３への洗浄液の含浸量を、清掃面２３Ａの単位面積当り０．００１  ｇ／ｃｍ２以上、０．００８  ｇ／ｃｍ２以下とすることにより、不織布２３からの液だれを防止しながら、その拭き性を向上できる。
【００２７】
尚、本発明の実施において、清掃部の清掃面は不織布により構成されるものに限定されない。
【００２８】
【発明の効果】
本発明によれば、清掃部と掻取部を併せ備える清掃具において、清掃部による払拭作業のスムースと、掻取部による水滴除去作業のスムースを図ることができる。
【図面の簡単な説明】
【図１】図１は清掃具を示す側面図である。
【図２】図２は図１の平面図である。
【図３】図３は図１の正面図である。
【図４】図４は清掃具の掻取部を被清掃面に接した姿勢を示す側面図である。
【図５】図５は清掃具の掻取部の使用状態を示す側面図である。
【図６】図６は清掃具の掻取部の使用状態の他の例を示す側面図である。
【符号の説明】
１  清掃具
１０  清掃具本体
２０  清掃部
２１  弾性体
２２  固定部（固定手段）
２３  不織布
２３Ａ  清掃面
３０  掻取部
【図１】
2004166837.tif 000004
【図２】
2004166837.tif 000005
【図３】
2004166837.tif 000006
【図４】
2004166837.tif 000007
【図５】
2004166837.tif 000008
【図６】
2004166837.tif 000009